(57)【要約】【課題】タッチディスプレイモジュールにも適用され、タッチスクリーンパネルに印加される振動感を向上させ、振動板の役目をするプレートの形状変化によってタッチスクリーンパネルに印加される振動周波数範囲を制御するタッチスクリーン装置を提供する。【解決手段】タッチスクリーンパネル１１２の下面に画像表示部１１４が結合されたタッチディスプレイモジュール１１０、一側が前記画像表示部１１４の下面縁部領域に付着された状態で段差をなすように形成されて内側に水平に伸びるプレート１２０ａ、前記プレート１２０ａの水平に伸びる部分の上部に前記画像表示部１１４から離隔するように装着される振動発生手段１３０、及び前記プレート１２０ａの下面に付着される弾性部材１４０を含む。【選択図】図２
2011040027.tif 000002
【特許請求の範囲】
【請求項１】
タッチスクリーンパネルの下面に画像表示部が結合されたタッチディスプレイモジュール；
一側が前記画像表示部の下面縁部領域に付着された状態で段差をなすように形成されて内側に水平に伸びるプレート；
前記プレートの水平に伸びる部分の上部に前記画像表示部から離隔するように装着される振動発生手段；及び
前記プレートの下面に付着される弾性部材；
を含むことを特徴とする、タッチスクリーン装置。
【請求項２】
前記プレートは、前記画像表示部の長手方向の縁部下面または幅方向の縁部下面に一対以上装着されることを特徴とする、請求項１に記載のタッチスクリーン装置。
【請求項３】
前記プレートは、
前記画像表示部の縁部領域下面に付着される内部の開放した枠状の第１プレート部；
前記第１プレート部から下方に折り曲げられる段差部；及び
前記段差部から折り曲げられて内側に水平に伸びる内部の開放した枠状の第２プレート部；
を含むことを特徴とする、請求項１に記載のタッチスクリーン装置。
【請求項４】
前記プレートは、
前記画像表示部の縁部領域下面に付着される内部の開放した枠状の外側プレート部；
前記外側プレート部から下方に折り曲げられる折曲プレート部；及び
前記折曲プレート部から折り曲げられて内側に水平に伸びる内側プレート部；
を含むことを特徴とする、請求項１に記載のタッチスクリーン装置。
【請求項５】
前記プレートの段差部は、前記プレートの一側から下方に垂直にまたは斜めに折り曲げられることを特徴とする、請求項１に記載のタッチスクリーン装置。
【請求項６】
前記振動発生手段は、外部電源によって長手方向に収縮または膨脹することによって前記タッチスクリーンパネルに振動を印加する圧電アクチュエータまたはポリマーアクチュエータであることを特徴とする、請求項１に記載のタッチスクリーン装置。
【請求項７】
前記弾性部材は、前記プレートとセット機構部が離隔するように、前記プレートの一側下面に前記プレートの下方に突出するように付着された状態でセット機構部に装着されることを特徴とする、請求項１に記載のタッチスクリーン装置。
【請求項８】
前記弾性部材はラバー材でなることを特徴とする、請求項１に記載のタッチスクリーン装置。
【請求項９】
前記弾性部材は前記プレートの一側下面に付着された状態でセット機構部に装着され、前記プレートと前記セット機構部が離隔するように前記プレートの水平に伸びる部分は前記セット機構部に設けられた開口部に収容されることを特徴とする、請求項１に記載のタッチスクリーン装置。
【請求項１０】
タッチスクリーンパネルの下面に画像表示部が結合されたタッチディスプレイモジュール；
前記画像表示部の下面に装着されるメーンプレート；
前記メーンプレートの縁部領域内側に形成され、両端部が前記メーンプレートに連結された状態で側面部が前記メーンプレートと離隔するように形成されたストリップ部；及び
前記ストリップ部の上面に装着される振動発生手段；
を含むことを特徴とする、タッチスクリーン装置。
【請求項１１】
前記メーンプレートの縁部領域に付着される弾性部材をさらに含むことを特徴とする、請求項１０に記載のタッチスクリーン装置。
【請求項１２】
前記ストリップ部は、
前記メーンプレートから下方に折り曲げられる傾斜ストリップ部；及び
前記傾斜ストリップ部から内側に水平に伸びる水平ストリップ部；
を含むことを特徴とする、請求項１０に記載のタッチスクリーン装置。
【請求項１３】
前記ストリップ部は、前記メーンプレートに多数備えられることを特徴とする、請求項１０に記載のタッチスクリーン装置。
【請求項１４】
前記メーンプレートは内部の開放した枠状を持つことを特徴とする、請求項１０に記載のタッチスクリーン装置。
【請求項１５】
前記ストリップ部は前記メーンプレートの縁部領域内側に向かい合うように一対以上備えられ、前記向かい合う一対以上のストリップ部は連結ストリップ部によって互いに連結されたことを特徴とする、請求項１４に記載のタッチスクリーン装置。
【発明の詳細な説明】
【技術分野】
【０００１】
本発明はタッチスクリーン装置に関する。
【背景技術】
【０００２】
近年、電子製品を簡便に使おうとする使用者の要求に応じて、電子製品にタッチで入力するタッチスクリーンの使用が普遍化している。タッチスクリーン装置は、タッチで入力する概念の外にも、インターフェースに使用者の直観的経験を反映してフィードバックをより多様化する概念を含む。
【０００３】
タッチスクリーン装置は省スペースが可能であり、造作性の向上及び簡便性を得ることができ、仕様変更が簡便であり、利用者の認識が高いという点の外にも、ＩＴ器機との連動性がよいなどの多くの利点がある。このような利点によって、産業、交通、サービス、医療、モバイルなどの多様な分野で幅広く利用されている。
【０００４】
一般に、タッチスクリーン装置は、透明性を持つタッチパネルが画像を表示するＬＣＤなどの画像表示装置に密着して配置され、使用者がタッチパネルによって画像を見ながらタッチパネルを圧迫操作する場合、振動発生手段によってタッチパネルに振動感が印加されることによって使用者に振動感が伝達される。
【０００５】
図１は従来技術によるタッチスクリーン装置を示す。
【０００６】
図１に示すように、従来技術によるタッチスクリーン装置は、タッチスクリーンパネル１０の下面に画像表示部２０が付着され、その間に振動発生手段３０が付着されてセット機構部４０に結合される。
【０００７】
しかし、従来技術によるタッチスクリーン装置は、振動発生手段３０がタッチスクリーンパネル１０と画像表示部２０の間に付着されるため、タッチスクリーンパネル１０と画像表示部２０が離隔した状態で付着されるが、これはタッチスクリーン装置の衝撃強度を低下させるだけでなく、入力部であるタッチスクリーンパネル１０と画像表示部２０の間の離隔空間によって使用者に対するインターフェース伝達正確度が落ちる問題点があった。さらに、タッチスクリーンパネル１０と画像表示部２０が分離した構造を持つため、これらを結合する工程に多大な時間及び費用がかかって生産性を低下させる問題点があった。
【０００８】
一方、タッチスクリーン装置において使用者に最適の振動感を伝達するためには、タッチスクリーンパネル１０を通じて使用者に最終的に伝達される振動が所定の周波数範囲内であることが要求されるが、従来技術によるタッチスクリーン装置においては、振動発生手段３０がタッチスクリーンパネル１０の下面に直接付着されるため、これを制御するのに困難さがあった。通常振動発生手段３０から発生する最初振動周波数は使用者に伝達しようとする周波数範囲より高いから、これを補償することが要求されるが、従来のような構造ではこれを補償するのに大きな困難さがあった。
【発明の概要】
【発明が解決しようとする課題】
【０００９】
したがって、本発明は前記のような問題点を解決するためになされたもので、本発明の目的は、タッチディスプレイモジュールにも適用することができ、タッチスクリーンパネルに印加される振動感を向上させることができるタッチスクリーン装置を提供することである。
【００１０】
また、本発明の他の目的は、振動板の役目をするプレートの形状変化によってタッチスクリーンパネルに印加される振動周波数範囲を制御することができるタッチスクリーン装置を提供することである。
【課題を解決するための手段】
【００１１】
本発明の一面によるタッチスクリーン装置は、タッチスクリーンパネルの下面に画像表示部が結合されたタッチディスプレイモジュール；一側が前記画像表示部の下面縁部領域に付着された状態で段差をなすように形成されて内側に水平に伸びるプレート；前記プレートの水平に伸びる部分の上部に前記画像表示部から離隔するように装着される振動発生手段；及び前記プレートの下面に付着される弾性部材；を含む。
【００１２】
前記プレートは、前記画像表示部の長手方向の縁部下面または幅方向の縁部下面に一対以上装着されることができる。
【００１３】
前記プレートは、前記画像表示部の縁部領域下面に付着される内部の開放した枠状の第１プレート部；前記第１プレート部から下方に折り曲げられる段差部；及び前記段差部から折り曲げられて内側に水平に伸びる内部の開放した枠状の第２プレート部；を含むことができる。
【００１４】
前記プレートは、前記画像表示部の縁部領域下面に付着される内部の開放した枠状の外側プレート部；前記外側プレート部から下方に折り曲げられる折曲プレート部；及び前記折曲プレート部から折り曲げられて内側に水平に伸びる内側プレート部；を含むことができる。
【００１５】
前記プレートの段差部は、前記プレートの一側から下方に垂直にまたは斜めに折り曲げられることができる。
【００１６】
前記振動発生手段は、外部電源によって長手方向に収縮または膨脹することによって前記タッチスクリーンパネルに振動を印加する圧電アクチュエータまたはポリマーアクチュエータであることができる。
【００１７】
前記弾性部材は、前記プレートとセット機構部が離隔するように、前記プレートの一側下面に前記プレートの下方に突出するように付着された状態でセット機構部に装着されることができる。
【００１８】
前記弾性部材はラバー材でなることができる。
【００１９】
前記弾性部材は前記プレートの一側下面に付着された状態でセット機構部に装着され、前記プレートと前記セット機構部が離隔するように前記プレートの水平に伸びる部分は前記セット機構部に設けられた開口部に収容されることができる。
【００２０】
本発明の他の面によるタッチスクリーン装置は、タッチスクリーンパネルの下面に画像表示部が結合されたタッチディスプレイモジュール；前記画像表示部の下面に装着されるメーンプレート；前記メーンプレートの縁部領域内側に形成され、両端部が前記メーンプレートに連結された状態で側面部が前記メーンプレートと離隔するように形成されたストリップ部；及び前記ストリップ部の上面に装着される振動発生手段；を含む。
【００２１】
前記メーンプレートの縁部領域に付着される弾性部材をさらに含むことができる。
【００２２】
前記ストリップ部は、前記メーンプレートから下方に折り曲げられる傾斜ストリップ部；及び前記傾斜ストリップ部から内側に水平に伸びる水平ストリップ部；を含むことができる。
【００２３】
前記ストリップ部は、前記メーンプレートに多数備えられることができる。
【００２４】
前記メーンプレートは内部の開放した枠状を持つことができる。
【００２５】
前記ストリップ部は前記メーンプレートの縁部領域内側に向かい合うように一対以上備えられ、前記向かい合う一対以上のストリップ部は連結ストリップ部によって互いに連結されることができる。
【００２６】
本発明の特徴及び利点は添付図面に基づいた以降の詳細な説明からより明らかになるであろう。
【００２７】
本発明の詳細な説明に先立ち、本明細書及び請求範囲に使用された用語や単語は通常的で辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００２８】
本発明によれば、振動発生手段がプレートを介して画像表示部の下部に配置される構造を持つので、タッチスクリーンパネルと画像表示部が一体化したタッチディスプレイモジュール構造に適用可能である。
【００２９】
また、本発明によれば、振動発生手段が画像表示部から離隔した状態でプレートに装着され、プレートを介してタッチディスプレイモジュールに伝達されるので、プレートの形状変化によってタッチディスプレイモジュールに伝達される振動感を制御することができる。
【００３０】
また、本発明によれば、プレートの下面にセット機構部との直接的な接触を防止する弾性部材を具備することにより、タッチディスプレイモジュールに伝達される振動量は増加させるが、セット機構部に伝達される振動量を減少させることにより、振動伝達の効率を高めることができる。
【図面の簡単な説明】
【００３１】
【図１】従来技術によるタッチスクリーン装置の分解斜視図である。
【図２】本発明の好適な第１実施例によるタッチスクリーン装置の概略断面図である。
【図３】図２に示すタッチスクリーン装置の分解斜視図である。
【図４】本発明の好適な第２実施例によるタッチスクリーン装置の分解斜視図である。
【図５】本発明の好適な第３実施例によるタッチスクリーン装置の分解斜視図である。
【図６】本発明の好適な第４実施例によるタッチスクリーン装置の断面図である。
【図７】本発明の好適な第５実施例によるタッチスクリーン装置の断面図である。
【図８】図７に示すタッチスクリーン装置の一部斜視図である。
【図９】本発明の好適な第６実施例によるタッチスクリーン装置の振動発生手段、プレート、及び弾性部材の分解斜視図である。
【図１０】本発明の好適な第７実施例によるタッチスクリーン装置の振動発生手段、プレート、及び弾性部材の分解斜視図である。
【図１１】本発明の好適な第８実施例によるタッチスクリーン装置の振動発生手段、プレート、及び弾性部材の分解斜視図である。
【図１２】本発明の好適な第９実施例によるタッチスクリーン装置の振動発生手段、プレート、及び弾性部材の分解斜視図である。
【図１３】図１３は本発明の好適な第１０実施例によるタッチスクリーン装置の振動発生手段、プレート、及び弾性部材の分解斜視図である。
【発明を実施するための形態】
【００３２】
本発明の目的、利点及び特徴は添付図面を参照する以下の詳細な説明及び好適な実施例からもっと明らかになろう。本明細書において、各図面の構成要素に参照番号を付け加えるに際して、同じ構成要素には、たとえ異なる図面に表示されていても、できるだけ同一符号を付けることにする。また、本発明の説明において、関連の公知技術についての具体的な説明が本発明の要旨を不必要にあいまいにすることができると判断される場合は、その詳細な説明を省略する。
【００３３】
以下、添付図面を参照して本発明の好適な実施例について詳細に説明する。
【００３４】
図２は本発明の好適な第１実施例によるタッチスクリーン装置の概略断面図、図３は図２に示すタッチスクリーン装置の斜視図である。
【００３５】
図２及び図３に示すように、本実施例によるタッチスクリーン装置は、タッチディスプレイモジュール１１０、プレート１２０ａ、振動発生手段１３０、及び弾性部材１４０を含んでなる。このようなタッチスクリーン装置はセット機構部１５０に収容（締結）されて使われる。
【００３６】
タッチディスプレイモジュール（Ｔｏｕｃｈ ｄｉｓｐｌａｙ ｍｏｄｕｌｅ）１１０は画像表示部１１４に表示される画像を見ながらタッチスクリーンパネル１１２を圧迫操作して使用者の要求を入力して表示するための手段であって、タッチスクリーンパネル１１２とＬＣＤのような画像表示部１１４が結合（一体化）した構造を持つ。このようなタッチディスプレイモジュール１１０は、タッチスクリーンパネル１１２と画像表示部１１４が分離された従来の構造に比べ、生産性が高くて衝撃に対する強度が高い利点を持つ。
【００３７】
ここで、タッチスクリーンパネル１１２は透明性及び可撓性を持つことにより、画像表示部１１４に表示される画像を見ながら圧迫操作する入力信号面の機能をするもので、例えば長手方向に長い長方形の構造を持つ。
【００３８】
例えば、タッチスクリーンパネル１１２は、外部フィルム層、ＩＴＯフィルム層、及びベースフィルム層を積層してなる。
【００３９】
ここで、外部フィルム層は移動通信端末機の前面部に搭載されるもので、タッチ入力が可能な表示領域（ｖｉｅｗｉｎｇ ａｒｅａ）と、表示領域の周辺部に形成されるデッドスペース領域（ｄｅａｄ ｓｐａｃｅ ａｒｅａ）に区分することができる。一方、外部フィルム層は、画像表示部１１４の画面を透視するように、例えばＰＥＴ（Ｐｏｌｙ Ｅｔｈｙｌｅｎｅ Ｔｅｒｅｐｈｔａｌａｔｅ）のような透明フィルム素材でなる。
【００４０】
ＩＴＯフィルム層（Ｉｎｄｉｕｍ Ｔｉｎ Ｏｘｉｄｅ ｆｉｌｍ）は詳細に図示しなかったが、上下に二層のフィルム層が積層されて作られ、その間には間隔を一定に維持するためのドットスペーサが設けられている。それぞれのフィルム層には、縁部に沿って伝導性Ｘ軸パターンとＹ軸パターンが形成されている電極膜が設けられ、Ｘ軸パターンとＹ軸パターンは絶縁体（図示せず）を介して電気的に分離されている。電極膜はＦＰＣケーブルを通じてＩＴＯフィルム層の外部に露出され、ポータブル端末機と電気的に連結される。
【００４１】
ベースフィルム層はタッチパネル全体を支持する役目をするもので、例えば透過率及びタッチ応答速度に優れたガラス基板が使用できる。
【００４２】
プレート１２０ａは振動発生手段１３０が装着される空間を提供するとともに振動発生手段１３０から発生する振動をタッチディスプレイモジュール１１０に伝達する振動板の役目をするためのもので、一側が画像表示部１１４の下面の縁領域に付着された状態で段差をなすように形成され、内側に水平に伸びる構造を持つ。すなわち、プレート１２０ａの他側は画像表示部１１４から離隔した構造を持つようになる。
【００４３】
本実施例において、プレート１２０ａは画像表示部１１４の長手方向の縁部領域の下面及び／または幅方向の縁部下面に向かい合うように一対以上が装着され、多数のプレート１２０ａが互いに分離された構造を持つ。
【００４４】
具体的に、プレート１２０ａは、画像表示部１１４の縁部領域の下面に付着される外側プレート部１２２ａ、前記外側プレート部１２２ａの内側から下方に垂直に折り曲げられる折曲プレート部１２４ａ、及び前記折曲プレート部１２４ａから折り曲げられて内側に水平に伸びる内側プレート部１２６ａを含んでなる。
【００４５】
ここで、内側プレート部１２６ａは折曲プレート部１２４ａによって画像表示部１１４から離隔するので、その上面は振動発生手段１３０が装着される空間を提供するようになる。この際、装着される振動発生手段１３０も画像表示部から所定間隔だけ離隔した状態、つまり可振動空間Ａを持った状態で装着できるように、内側プレート部１２６ａと画像表示部１１４の間の離隔距離が調整されることが好ましい。
【００４６】
本発明では、内側プレート部１２６ａの上部に配設された振動発生手段１３０が可振動空間Ａによって画像表示部１１４から離隔しているので、発生する振動は内側プレート部１２６ａ、折曲プレート部１２４ａ及び外側プレート部１２２ａを通じてタッチディスプレイモジュール１１０に伝達される。
【００４７】
すなわち、本発明は、振動板の役目をするプレート１２０ａを介して振動発生手段１３０から発生する振動が伝達される構造を持つので、プレート１２０ａの形状、長さ、厚さ、折曲プレート部１２４ａの折曲角度、振動発生手段１３０の装着状態、可振動空間Ａの大きさなどを調節することで、タッチディスプレイモジュール１１０に伝達される振動の周波数範囲を制御することができる。このような振動伝達構造は、画像表示部１１４に振動発生手段１３０が直接付着される従来の構造に比べ、周波数範囲の調節がより容易である利点を持つ。
【００４８】
振動発生手段１３０は振動を発生させてタッチディスプレイモジュール１１０に印加するためのもので、内側プレート部１２６ａの上部に画像表示部１１４から離隔するように装着される。
【００４９】
ここで、振動発生させるための振動発生手段１３０としては、外部電源によって長手方向に収縮または膨脹することで振動感を印加する圧電（またはポリマー）アクチュエータまたはリニア振動モーターが使用可能である。
【００５０】
弾性部材１４０はタッチディスプレイモジュール１１０に対する振動の伝達を最大化し、セット機構部１５０に対する振動の伝達を最小化するとともに、落下などに対するタッチスクリーン装置の信頼性を向上させるためのもので、プレート１２０ａの下面に付着される。
【００５１】
ここで、弾性部材１４０は、セット機構部１５０とプレート１２０ａが直接接触することにより振動発生手段１３０からプレート１２０ａに伝達される振動がセット機構部１５０に分散して伝達されないように、プレート１２０ａの下面に下方に突出するように付着される。すなわち、プレート１２０ａとセット機構部１５０の間に介設される弾性部材１４０によって両構成要素が直接接触しなくなる。
【００５２】
一方、弾性部材１４０は、その使用によってタッチスクリーン装置の厚さが増加する問題を最小にするため、折曲プレート部１２４ａの高さだけの厚さ補償を受けるように、外側プレート部１２２ａの下面に付着された状態で内側プレート１２６ａの下方に突出するように付着されることが好ましい。
【００５３】
図４及び図５は本発明の好適な第２及び第３実施例によるタッチスクリーン装置の斜視図、図６は本発明の好適な第４実施例によるタッチスクリーン装置の断面図である。図４〜図６から分かるように、プレート１２０ｂ、１２０ｃ、１２０ｄの形状を除き、第１実施例によるタッチスクリーン装置の構造と類似の構造であるので、重複する部分についての説明は省略する。
【００５４】
まず、図４に示すように、本発明の好適な第２実施例によるタッチスクリーン装置は、プレート１２０ｂが枠状を持つことにより、一体化して組立性を向上させた構造を持つことを特徴とする。具体的に、プレート１２０ｂは画像表示部１１４の縁部領域の下面に付着される内部の開放した枠状、例えば長方形の外側プレート部１２２ｂ、前記外側プレート部１２２ｂの内側から下方に垂直に折り曲げられる折曲プレート部１２４ｂ、及び前記折曲プレート部１２４ｂから折り曲げられて内側に水平に伸びる内部の開放した枠状の内側プレート部１２６ｂを含んでなる。
【００５５】
次に、図５に示すように、本発明の好適な第３実施例によるタッチスクリーン装置は、プレート１２０ｃが一体化した構造を持ち、内部が密閉した板状を持つことを特徴とする。具体的に、プレート１２０ｃは、画像表示部１１４の縁部領域の下面に付着される内部の開放した枠状の外側プレート部１２２ｃ、前記外側プレート部１２２ｃの内側から下方に垂直に折り曲げられる折曲プレート部１２４ｃ、及び前記折曲プレート部１２４ｃから折り曲げられて内側に水平に伸びる板状の内側プレート部１２６ｃを含んでなる。この際、内側プレート部１２６ｃは板状を持つことによってその全体が振動板の役目をするようになり、その上部に配設される振動発生手段１３０の配置自由度を増大させる。
【００５６】
ついで、図６に示すように、本発明の好適な第４実施例によるタッチスクリーン装置は、プレート１２０ｄの折曲プレート部１２４ｄが傾いた構造に折り曲げられたことを特徴とする。具体的に、プレート１２０ｄは、画像表示部１１４の縁部領域の下面に付着される外側プレート部１２２ｄ、前記外側プレート部１２２ｄの内側から下方に斜めに折り曲げられる折曲プレート部１２４ｄ、及び前記折曲プレート部１２４ｄから折り曲げられて内側に水平に伸びる内側プレート部１２６ｄを含んでなる。
【００５７】
前述したように、折曲プレート部１２４ｄの折曲角度を調節することで、構造的変更によってプレート１２０ｄを通じて伝達される振動の周波数範囲を制御することができる。
【００５８】
一方、本実施例によるタッチスクリーン装置でプレート１２０ｄは、多数に分離された構造（図３参照）、内部の開放した一体化構造（図４参照）、または内部の密閉した一体化構造（図５参照）を持つことができる。
【００５９】
図７は本発明の好適な第５実施例によるタッチスクリーン装置の断面図、図８は図７に示すタッチスクリーン装置の一部斜視図である。図７及び図８に示すように、本実施例によるタッチスクリーン装置は、弾性部材１４０の大きさ、セット機構部１５０の形状、及びプレート１２０ｅの配置を除き、図２及び図３に示すタッチスクリーン装置と類似のものであるので、その類似部分についての重複説明は省略する。
【００６０】
図７及び図８に示すように、本実施例によるタッチスクリーン装置は、プレート１２０ｅとセット機構部１５０の直接的な接触を防止し、省スペースのためにセット機構部１５０にプレート１２０ｅの少なくとも一部が収容される開口部１５２が備えられることを特徴とする。
【００６１】
具体的に、プレート１２０ｅは図２に示すプレートと同一の構造を持つが、弾性部材１４０が内側プレート部１２６ｅの下方に突出しなくて外側プレート部１２２ｅの下面に付着された状態で前記弾性部材１４０がセット機構部１５０に装着される。この際、内側プレート部１２６ｅに対応する領域のセット機構部１５０に開口部１５２が形成され、その内部に内側プレート部１２６ｅが収容されることにより、プレート１２０ｅがセット機構部１５０と直接接触しないながらも開口部１５２を利用して空間を節減することができる。
【００６２】
一方、本実施例によるタッチスクリーン装置において、プレート１２０ｅは、多数に分離された構造（図３参照）または内部の開放した一体化構造（図４参照）を持つことができる。
【００６３】
図９〜図１１は本発明の好適な第６〜第８実施例によるタッチスクリーン装置の振動発生手段、プレート、及び弾性部材の分解斜視図である。
【００６４】
図９に示すように、本実施例によるタッチスクリーン装置において、プレートは、画像表示部１１４の下面に付着される板状のメーンプレート１２０ｆと、前記メーンプレート１２０ｆの縁部領域の内側に形成され、両端部が前記メーンプレート１２０ｆに連結された状態で側部が前記メーンプレート１２０ｆから分離されたストリップ部１２２ｆとを含んでなる。
【００６５】
ここで、振動発生手段１３０はストリップ部１２２ｆの上部に装着される。このようなストリップ部１２２ｆは自体弾性力を持つので、付加の弾性部材１４０を備えなくてもセット機構部に伝達される振動を最小化することができるが、必要によってメーンプレート１２０ｆの縁部領域の下面に弾性部材１４０が付着されることもできる。
【００６６】
この際、ストリップ部１２２ｆは段差構造を持っていないから、その上部に振動発生手段１３０が装着される場合、画像表示部１１４と直接接触することができる。しかし、メーンプレート１２０ｆから側面部が分離されたストリップ部１２２ｆは、振動発生手段１３０によって振動が印加される場合、リーフスプリングのように揺動するため、ストリップ部１２２ｆの幅、長さ、厚さなどを調節することにより、画像表示部１１４に伝達される振動の周波数範囲を制御することができる。本実施例によれば、振動発生手段１３０によって発生する振動は振動発生手段１３０と画像表示部１１４の間歇的な直接接触によって直ちに画像表示部１１４に伝達されるか、あるいはストリップ部１２２ｆに連結されたメーンプレート１２０ｆを通じて画像表示部１１４に伝達される。
【００６７】
ここで、メーンプレート１２０ｆに連結されるストリップ部１２２ｆの両端部は、揺動現象が最大化するように、細幅に形成されることが好ましい。
【００６８】
一方、図面に一対のストリップ部１２２ｆがメーンプレート１２０ｆの長手方向の縁部に備えられるものとして示されているが、ストリップ部１２２ｆの数及び配置は変更可能であろう。
【００６９】
一方、図１０に示すように、ストリップ部１２２ｇは両端がメーンプレート１２０ｇに連結された状態で段差をなすように形成できる。すなわち、ストリップ部１２２ｇはメーンプレート１２０ｇに連結された両端部が下方に段差をなすように形成された傾斜ストリップ部１２４ｇと、前記傾斜ストリップ部１２４ｇから内部に水平に伸びる水平ストリップ部１２６ｇとを含んでなる。この際、ストリップ部１２２ｇが段差構造を持つので、水平ストリップ部１２６ｇの上部に配設される振動発生手段１３０と画像表示部１１４は離隔した状態を維持することになり、振動発生手段１３０から発生する振動はストリップ部１２２ｇに連結されたメーンプレート１２０ｇを通じて画像表示部に伝達される。
【００７０】
この際、図１０の（ｂ）から分かるように、多数のストリップ部１２２ｇ、１２２ｇ’を備えることも可能であろう。
【００７１】
また、図１１に示すように、ストリップ部１２２ｈはメーンプレート１２０ｈの縁部領域に互いに分離されて多数が備えられることができる。一方、図１１にはストリップ部１２２ｈがメーンプレート１２０ｈの長手方向の縁部領域にだけ形成されるものとして示されているが、幅方向の縁部領域、または両領域に形成されるものも本発明の範疇内に属するものである。
【００７２】
図１２及び図１３は本発明の好適な第９及び第１０実施例によるタッチスクリーン装置の振動発生手段、プレート、及び弾性部材の分解斜視図である。
【００７３】
まず、図１２に示すように、本発明の好適な第９実施例によるタッチスクリーン装置において、プレートは、画像表示部１１４の下面縁部領域に付着される内部の開放した枠状のメーンプレート１２０ｉと、前記メーンプレート１２０ｉの内側に両端が前記メーンプレート１２０ｉに連結された状態で段差をなすように形成され、側面部が前記メーンプレート１２０ｉから分離されたストリップ部１２２ｉとを持つことを特徴とする。この際、ストリップ部１２２ｉは多数備えられることができる。
【００７４】
ついで、図１３に示すように、本発明の好適な第１０実施例によるタッチスクリーン装置のプレート１２０ｊは、図１２に示すプレート１２０ｉの構造において、一対のストリップ部１２２ｊを連結する連結ストリップ部１２８ｊを備えることを特徴とする。ここで、連結ストリップ部１２８ｊは水平ストリップ部１２６ｊから伸びて一対のストリップ部１２２ｊを連結することにより、一対のストリップ部１２２ｊが共に振動する構造を具現することを特徴とする。具体的に、連結ストリップ部１２８ｊは水平ストリップ部１２６ｊから伸びるとともに上方に段差をなすように形成される。
【００７５】
以上、本発明を具体的な実施例に基づいて詳細に説明したが、これは本発明を具体的に説明するためのもので、本発明によるタッチスクリーン装置はこれに限定されなく、本発明の技術的思想内で当該分野の通常の知識を持った者によって多様な変形及び改良が可能であろう。本発明の単純な変形ないし変更はいずれも本発明の範疇内に属するもので、本発明の具体的な保護範囲は特許請求範囲によって明らかに決まるであろう。
【産業上の利用可能性】
【００７６】
本発明は、タッチディスプレイモジュールにも適用され、タッチスクリーンパネルに印加される振動感を向上させ、振動板の役目をするプレートの形状変化によってタッチスクリーンパネルに印加される振動周波数範囲を制御するタッチスクリーン装置に適用可能である。
【符号の説明】
【００７７】
１１０    タッチディスプレイモジュール
１１２    タッチスクリーンパネル
１１４    画像表示部
１２０ａ〜１２０ｊ    プレート
１３０    振動発生手段
１４０    弾性部材
１５０    セット機構部
【図１】
2011040027.tif 000003
【図２】
2011040027.tif 000004
【図３】
2011040027.tif 000005
【図４】
2011040027.tif 000006
【図５】
2011040027.tif 000007
【図６】
2011040027.tif 000008
【図７】
2011040027.tif 000009
【図８】
2011040027.tif 000010
【図９】
2011040027.tif 000011
【図１０】
2011040027.tif 000012
【図１１】
2011040027.tif 000013
【図１２】
2011040027.tif 000014
【図１３】
2011040027.tif 000015